【事件の表示】
　特許第２７６１０７１号「気泡発生浴槽」の特許に対する特許異議の申立てについて、次のとおり決定する。
【結　論】
　訂正を認める。
　特許第２７６１０７１号の請求項１ないし３に係る特許を維持する。
【理　由】
１．手続の経緯
　本件特許第２７６１０７１号に係る特許は、その出願が平成２年１月２８日の出願であって、平成１０年３月３０日に特許権の設定の登録があり、平成１０年１２月３日に特許異議申立人菊間靖郎により特許異議の申立てがあり、平成１１年２月２日付けで取消理由を特許権者に通知したところ、平成１１年４月２３日付けで意見書及び訂正請求書が提出され、平成１２年１月１１日付けで訂正拒絶理由を特許権者に通知したところ、平成１２年３月２７日付けで意見書及び訂正請求書の補正書が提出された。
　
２．訂正の補正について
２−１．訂正の補正の内容
　訂正明細書の補正事項は以下の通りである。
補正事項Ａ
平成１１年４月２３日提出の全文訂正明細書中、特許請求の範囲の
「【請求項１】
　浴槽本体と循環ポンプとの間に浴湯循環流路を介設し、同浴湯循環流路に空気取入部を連通運結して、浴槽本体に設けた複数の噴出ノズルより浴槽本体内へ気泡混じりの浴場を噴出可能とし、かつ、手に持って、自由な入浴姿勢で噴流形態の変更ができるリモートコントローラにより、制御部を介して駆動部を操作可能とした気泡発生浴槽において、
　上記リモートコントローラに噴流形態操作スイッチと噴流形態表示部を設け、噴流形態を図により動的に表示可能とし、体感と視認によってリモートコントローラを介して噴流形態の変更を可能としたことを特徴とする気泡発生浴糟。
　【請求項２】浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、手に持って、自由な入浴姿勢で噴流形態の変更ができるリモートコントローラにより、制御部を介して駆動部を操作可能とした気泡発生浴槽において、
　上記リモートコントローラに噴流形態表示部と、噴流形態を表示した噴流形態操作スイッチを並設し、噴流形態操作スイッチが操作されると、操作された噴流形態操作スイッチに対応する噴流形態表示部に設けられた指標部が点灯することを特徴とする気泡発生浴槽。」を、
「【請求項１】
　浴槽本体と循環ポンプとの間に浴場循環流路を介設し、同浴湯循環流路に空気取入部を連通連結して、浴槽本体に設けた複数の噴出ノズルより浴槽本体内へ気泡混じりの浴場を噴出可能とし、かつ、手に持って、自由な入浴姿勢で噴流形態の変更ができるように、キャリアの透過窓からコード信号を送信可能に構成したリモートコントローラにより、制御部を介して駆動部を操作可能とした気泡発生浴槽において、
　上記リモートコントローラに噴流形態操作スイッチと噴流形態表示部を設け、噴出量及び／又は噴出圧の変更よりなる各種噴流形態を図により動的に表示可能とし、体感と視認によってリモートコントローラを介して噴流形態の変更を可能としたことを特徴とする気泡発生浴槽。
　【請求項２】
　浴槽本体と循環ポンプとの間に浴湯循環流路を介設し、同浴場循環流路に空気取入部を連通連結して、浴槽本体に設けた複数の噴出ノズルより浴槽本体内へ気泡混じりの浴湯を噴出可能とし、かつ、噴出量及び／又は噴出圧の変更よりなる各種噴流形態を、手に持って、自由な入浴姿勢で変更できるように、キャリアの透過窓からコード信号を送信可能に構成したリモートコントローラにより、制御部を介して駆動部を操作可能とした気泡発生浴槽において、
　上記リモートコントローラに噴流形態表示部と、噴流形態を表示した噴流形態操作スイッチを並設し、噴流形態操作スイッチが操作されると、操作された噴流形態操作スイッチに対応する噴流形態表示部に設けられた指標部が点灯することを特徴とする気泡発生浴槽。」と補正する。
補正事項Ｂ　
　平成１１年４月２３日提出の全文訂正明細書中、第２頁第１６行〜第２３行の「本発明は、浴槽本体と循環ポンプとの間に〜係るものである。」を、「本発明は、浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴場を噴出可能とし、かつ、手に持って、自由な入浴姿勢で噴流形態の変更ができるように、キャリアの透過窓からコード信号を送信可能に構成したリモートコントローラにより、制御部を介して駆動部を操作可能とした気泡発生浴槽において、上記リモートコントローラに噴流形態操作スイッチと噴流形態表示部を設け、噴出量及び／又は噴出圧の変更よりなる各種噴流形態を図により動的に表示可能とし、体感と視認によってリモートコントローラを介して噴流形態の変更を可能としたことを特徴とする気泡発生浴槽に係るものである。」と補正する。
補正事項Ｃ
　平成１１年４月２３日提出の全文訂正明細書中、第３頁第４行〜１１行の
「１）手に持って、自由な入浴姿勢で噴流形態の変更ができるリモートコントローラにより、制御部を介して駆動部を操作可能とした気泡発生浴槽において、上記リモー トコントローラに噴流形態操作スイッチと噴流形態表示部を設け、噴流形態を図により動的に表示可能とし、体感と視認によってリモートコントローラを介して噴流形態の変更を可能としている。すなわち、入浴者が操作した噴流形態が図で動的に表示されるために、視覚的に操作状況を確認できるので、操作しやすく、安心して入浴することができる。また、噴流形態の変化を見ながら入浴を楽しむことができる。」を、
「１）手に持って、自由な入浴姿勢で噴流形態の変更ができるように、キャリアの透過窓からコード信号を送信可能に構成したリモートコントローラにより、制御部を介して駆動部を操作可能とした気泡発生浴槽において、上記リモートコントローラに噴流形態操作スイッチと噴流形態表示部を設け、噴出量及び／又は噴出圧の変更よりなる各種噴流形態を図により動的に表示可能とし、体感と視認によってリモートコントローラを介して噴流形態の変更を可能としている。すなわち、入浴者が操作した噴流形態が図で動的に表示されるために、視覚的に操作状況を確認できるので、操作しやすく、安心して入浴することができる。また、噴流形態の変化を見ながら入浴を楽しむことができる。」と補正する。
　
２−３．訂正の補正の適否
　補正事項Ａは、特許請求の範囲の減縮を目的とするものであり、補正事項Ｂ，Ｃは不明瞭な記載の釈明を目的とするものである。そして、本件訂正の補正は訂正明細書の記載事項の範囲内の補正であり、特許請求の範囲を拡張又は変更するものでもない。
　よって、本件訂正の補正は、特許法第１２０条の４第３項で準用する特許法第１３１条第２項の規定を満たしており、本件訂正の補正を認める。
　
３．訂正について
３−１．訂正の内容
　本件訂正の補正が認められたので、本件訂正の内容は以下の通りであり、訂正事項Ａは補正事項Ｂを、訂正事項Ｂは補正事項Ｂを、訂正事項Ｃは補正事項Ｃをそれぞれ含むものである。
訂正事項Ａ
　　特許請求の範囲の請求項１及び２を、
「【請求項１】浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、手に持って、自由な入浴姿勢で噴流形態の変更ができるように、キャリアの透過窓からコード信号を送信可能に構成したリモートコントローラにより、制御部を介して駆動部を操作可能とした気泡発生浴槽において、
　上記リモートコントローラに噴流形態操作スイッチと噴流形態表示部を設け、噴出量及び／又は噴出圧の変更よりなる各種噴流形態を図により動的に表示可能とし、体感と視認によってリモートコントローラを介して噴流形態の変更を可能としたことを特徴とする気泡発生浴槽。
　【請求項２】浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、噴出量及び／又は噴出圧の変更よりなる各種噴流形態を、手に持って、 自由な入浴姿勢で変更できるように、キャリアの透過窓からコード信号を送信可能に構成したリモートコントローラにより、制御部を介して駆動部を操作可能とした気泡発生浴槽において、
　上記リモートコントローラに噴流形態表示部と、噴流形態を表示した噴流形態操作スイッチを並設し、噴流形態操作スイッチが操作されると、操作された噴流形態操作スイッチに対応する噴流形態表示部に設けられた指標部が点灯することを特徴とする気泡発生浴槽。」と訂正する。
訂正事項Ｂ
　平成８年５月１６日付け手続補正書中、第１頁第５行〜第１４行（特許第２７６１０７１号公報第３欄第２３行〜第３５行）の「本発明は、浴槽本体と循環ポンプとの間に〜特徴を有する。」を、
「本発明は、浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、手に持って、自由な入浴姿勢で噴流形態の変更ができるように、キャリアの透過窓からコード信号を送信可能に構成したリモートコントローラにより、制御部を介して駆動部を操作可能とした気泡発生浴槽において、上記リモートコントローラに噴流形態操作スイッチと噴流形態表示部を設け、噴出量及び／又は噴出圧の変更よりなる各種噴流形態を図により動的に表示可能とし、体感と視認によってリモートコントローラを介して噴流形態の変更を可能としたことを特徴とする気泡発生浴槽に係るものである。
　また、本発明は、浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、噴出量及び／又は噴出圧の変更よりなる各種噴流形態を、手に持って、自由な入浴姿勢で変更できるように、キャリアの透過窓からコード信号を送信可能に構成したリモートコントローラにより、制御部を介して駆動部を操作可能とした気泡発生浴槽において、上記リモートコントローラに噴流形態表示部と、噴流形態を表示した噴流形態操作スイッチを並設し、噴流形態操作スイッチが操作されると、操作された噴流形態操作スイッチに対応する噴流形態表示部に設けられた指標部が点灯することにも特徴を有する。」と訂正する。
　訂正事項Ｃ
　平成８年５月１６日付け手続補正書中、第１頁第１９行〜第２４行（特許第２７６１０７１号公報第３欄第４２行〜第５０行）の「１）入浴者が操作した噴流形態が〜安心して入浴することができる。」を、
「１）手に持って、自由な入浴姿勢で噴流形態の変更ができるように、キャリアの透過窓からコード信号を送信可能に構成したリモートコントローラにより、制御部を介して駆動部を操作可能とした気泡発生浴槽において、上記リモートコントローラに噴流形態操作スイッチと噴流形態表示部を設け、噴出量及び／又は噴出圧の変更よりなる各種噴流形態を図により動的に表示可能とし、体感と視認によってリモートコントローラを介して噴流形態の変更を可能としている。すなわち、入浴者が操作した噴流形態が図で動的に表示されるために、視覚的に操作状況を確認できるので、操作しやすく、安心して入浴することができる。また、噴流形態の変化を見ながら入浴を楽しむことができる。
２）入浴者は、リモートコントローラを手に持って、自由な入浴姿勢で楽に噴流形態の変更等を行なうことができる。しかも、入浴者が、噴流形態を表示した噴流形態操作スイッチを操作すると、同スイッチに対応する噴流形態表示部の指標部に表示されるために、視覚的に操作状況を確認できて操作しやすく、安心して入浴することができる。」と訂正する。 
　
３−２．訂正の適否（目的、新規事項、拡張・変更）
　訂正事項Ａは、特許請求の範囲の減縮を目的とするものであり、訂正事項Ｂ，Ｃは不明瞭な記載の釈明を目的とするものである。そして、本件訂正の補正は願書に添付した明細書の記載事項の範囲内の補正であり、特許請求の範囲を拡張又は変更するものでもない。
　
３−３．独立特許要件について
３−３−１．訂正された請求項に係る発明
　訂正された請求項１に係る発明（以下、本件発明１という。）、同請求項２に係る発明（以下、本件発明２という。）及び同請求項３に係る発明（以下、本件発明３という。）は、訂正明細書及び図面の記載からみて、その特許請求の範囲の請求項１乃至請求項３に記載された次の事項によりそれぞれ特定されるものである。
　【特許請求の範囲】
【請求項１】
　浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、手に持って、自由な入浴姿勢で噴流形態の変更ができるように、キャリアの透過窓からコード信号を送信可能に構成したリモートコントローラにより、制御部を介して駆動部を操作可能とした気泡発生浴槽において、
　上記リモートコントローラに噴流形態操作スイッチと噴流形態表示部を設け、噴出量及び／又は噴出圧の変更よりなる各種噴流形態を図により動的に表示可能とし、体感と視認によってリモートコントローラを介して噴流形態の変更を可能としたことを特徴とする気泡発生浴槽。
【請求項２】
　浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、噴出量及び／又は噴出圧の変更よりなる各種噴流形態を、手に持って、自由な入浴姿勢で変更できるように、キャリアの透過窓からコード債号を送信可能に構成したリモートコントローラにより、制御部を介して駆動部を操作可能とした気泡発生浴槽において、
　上記リモートコントローラに噴流形態表示部と、噴流形態を表示した噴流形態操作スイッチを並設し、噴流形態操作スイッチが操作されると、操作された噴流形態操作スイッチに対応する噴流形態表示部に設けられた指標部が点灯することを特徴とする気泡発生浴槽。
【請求項３】
　上記噴流形態表示部を液晶表示式とし、液晶表示素子の点滅により噴流形態を動的に表示可能としたことを特徴とする請求項１または２に記載の気泡発生浴槽。
　
３−３−２．訂正拒絶理由の概要
　本件請求項１及び請求項２に係る発明は、刊行物１（実願昭５７−１４５８０６号（実開昭５９−４８６２７号公報）のマイクロフィルム）、刊行物２（実願昭６２−１５３６２２号（実開平１−６１５５４号）のマイクロフィルム）及び刊行物４（特開昭６３−９６４４２号公報）に記載された発明に基いて当業者が容易に発明をすることができたものであり、本件請求項３に係る発明は、前記刊行物１、刊行物２、刊行物３（特開昭５７−１４０２１３号公報）及び刊行物４に記載された発明に基いて当業者が容易に発明をすることができたものであるから、本件請求項１乃至請求項３に係る発明は、特許法第２９条第２項の規定に違反し、出願の際独立して特許を受けることができないものである。
　
３−３−３．刊行物の記載事項
刊行物１（実開昭５９−４８６２７号公報（実願昭５７−１４５８０６号のマイクロフィルムの写し））
「浴槽の槽壁に吸引口と、気泡発生装置を構成する複数の噴出口を設け、これら両口をポンプを備える循環流路で連絡して浴槽内の水を循環流路を介して強制循環させ噴出口から気泡を多量に混合したジェット流を噴出せしめる泡バス装置」に関するものであり、かつ、登録請求の範囲６〜１０行の通り「エアー調節装置、ポンプ運転用エアースイッチ、使用する噴出口を選択的に切換える切換装置等必要な操作装置を浴槽の上縁リムの所要箇所の１箇所に集合せしめた、かつ浴槽表面側から内部機能部を取り外し可能に設置した事を特徴とする泡バス装置。」
　そして、刊行物１の明細書第２頁第１０行〜第１５頁第１４行には、浴槽本体（浴槽Ａ）と循環ポンプ（ポンプＥ）との間に浴湯循環流路（循環流路Ｂ）を介設し、同浴湯循環流路に空気取入部（エアー流入口２５，エアー管２７）を連通連結して、浴槽本体に設けた複数の噴出ノズル（噴出ロ１，２，噴射ノズル５，回転ノズル７）より浴槽本体内へ気泡混じりの浴湯を噴出可能（明細書第９頁第４行〜第１２行）とし、かつ、各駆動部を制御部（メインコントローラＨ，浴室内コントローラＩ，エアースイッチＪ，制御板４３）を介して操作部（切換装置Ｃ，エアー調節装置Ｄ，エアースイッチＪ等）により操作可能とした気泡発生浴槽が記載されており、とりわけ、次の記載がある。
「このエアー調節装置Ｄはハンドル６０を回転し、ハンドル６０裏面を本体５１上端から引き離すと、・・・噴出口１，２のエアー流入口２５に達するエアー通路が構成され、噴射ノズル５からの循環浴槽水の噴射に伴う強力な吸引作用により、上記エアー通路を介してエアーが噴出口１，２の混合室９に吸引される。このエアー吸引量は、ハンドル６０の回転操作に伴うハンドル６０下面と本体５１上端との間の間隙６５の大きさの変化により調節される。」（第９頁４行〜１５行）
「切換装置Ｃはネジ９９を外し、ハンドル９８をスピンドル９３から取り除くことにより、押え部材９２，スピンドルガイド９１，弁体９０をいずれも浴槽Ａの表側から取り出すことができる。而して、切換装置Ｃは以上の構造において、ハンドル９８を回転操作し、弁体９０を回転させて本体５０側側面に設けられた２個の出口８８，８９のいずれか一方を選択的に塞ぐことにより、背側又は足側の噴出口１，２のいずれかから、ジェット流を噴出させ、２個の出口８８，８９を両方開くことにより、背側及び足側の噴出口１，２の双方から同時にジェット流を噴出させることができる。」（第１４頁１１行〜第１５頁２行）
　
刊行物２（実願昭６２−１５３６２２号（実開平１−６１５５４号）のマイクロフィルム）
「機器本体あるいはそのリモコンに運転表示装置を設け、該運転表示装置は機器の制御回路からの信号に応じて機器の運転状態を動的に絵表示する液晶デイスプレイ素子で構成したことを特徴とする機器の動作表示装置。」（第１頁５行〜９行）
「（従来の技術）　従来機器の動作表示装置として機器本体あるいはリモコン部に液晶デイスプレイ素子を設け、該液晶デイスプレイ素子に文字あるいは絵を表示させる構成は特開昭５９−２０２３２３号公報により公知である。」（第１頁１２行〜１９行）
「機器の運転が行われると制御回路からの信号に応じて運転状態が液晶デイスプレイ素子にアニメーション的に表示されることになり、従って使用者はその運転状態を容易かつ確実に把握できる。」（第２頁１３行〜１７行）
「第１図は本考案の一実施例を示す電気回路図であり、例えば（１）は屋外設置された自動給湯器付風呂釜、即ち瞬間式給湯器と浴槽水の強制循環式追焚器とを内蔵し、自動給湯運転操作で給湯器から浴槽に設定された水位まで温水を供給した後追焚器で設定温度に浴槽水を強制循環させて加熱する自動給湯運転と、追焚操作で浴槽水を強制循環させて設定温度に加熱する追焚運転とが行えるものである。（２）はその制御回路、（３）は台所．浴室等に設置したリモコンで．該リモコンは運転表示装置を構成する液晶デイスプレイ素子（４）と該液晶デイスプレイ素子（４）を駆動するドライブ回路（５）と自動給湯器付風呂釜（１）を制御する操作部（６）を設けている。第２図は上記リモコン（３）の正面図を示し、後述する運転表示を行う液晶デイスブレイ素子（４）と運転スイッチ（６ａ）、上記した自動給湯運転スイッチ（６ｂ）、浴槽水位設定スイッチ（６ｃ）、該浴槽水位設定スイッチ（６ｃ）で設定した水位よりも一定水位上昇させるスイッチ（６ｄ）、浴槽水の温度設定スイッチ（６ｅ）、前記した追焚運転スイッチ（６ｆ）、浴槽水温度を給湯器からの冷水供給により低下させるスイッチ（６ｇ）、給湯温度設定スイッチ（６ｈ）、給湯設定温度を当該リモコンで設定した温度と別置したリモコンの設定温度とに相互に切換える優先スイッチ（６ｉ）、設定時間に自動給湯運転を開始せしめるための予約運転スイッチ（６ｊ）を備えている。」（第２頁第１９行〜第４頁第６行）
「次に液晶デイスプレイ素子（４）による運転状態の表示について説明する。第３図は自動給湯運転時の表示内容を示したもので、表示（Ａ）は浴槽水位設定スイッチ（６ｃ）で設定した水位を示し、表示（Ｂ）は浴槽に給湯器から温水供給中であることを示し、表示（Ｃ）は給湯器あるいは追焚器のバーナが燃焼中であることを示し、表示（Ｄ）は浴槽水が温度設定スイッチ（６ｅ）の設定温度に沸き上ったことを示している。又上記した表示（Ｂ），（Ｃ），（Ｄ）は第４図（イ），（口），（ハ）に示したように夫々の状態表示に対して複数の異なる絵パターンを、そのドライバ回路（５）により交互に切換えて表示せしめるものである。第５図は給湯単独運転時の表示内容であり、給湯中であることを示す表示（Ｅ）と、上記と同様の表示（Ｃ）と、高温設定状態であることを示す表示（Ｆ）とシヤワーの適温状態を示す表示（Ｇ）と、当該リモコンが優先されていることを示す表示（Ｈ）が行われるのであり、かかる場合にも表示（Ｃ）が第４図（ロ）に示すようにアニメーション的に動的に表示されるのである。
（考案の効果）
　以上のように、本考案によれば液晶デイスプレイ素子により機器の運転状態をアニメーション的に．動的に表示したものであるから、若干離れた場所からでも確実かつ容易に機器の運転状態が認識できる。」（第４頁第１２行〜第５頁第１８行）
　
刊行物３（特開昭５７−１４０２１３号）
「空気調和装置の吹出空気を表示するよう配した多色表示点灯素子からなる表示体と、風量に対応する速度で間欠的に前記点灯素子を駆動する送風量表示駆動手段と、冷暖房切換に対応して前記点灯素子の点灯色を選択する冷暖房切換表示駆動手段とを有してなる空気調和装置の動作状態表示器。」（第１頁、特許請求の範囲）
「この様に、スイッチ２１の操作時には、上記液晶セグメント２９を希望するスピードで点灯せしめることで、透明部群７または８にそのスピードに応じた風量表示が行え、スイッチ３１の操作に依り、上記液晶セグメント３３の色を変えることで、上記点灯の色を選択し、冷暖房の区別の表示が行え、更に、スイッチ２６の操作に依り、風の出る方向を表示することができる。そしてこれらは点灯が順次移動し、色別に動く画像として認知できるため、空気調和装置の作動状況が１目して確認できるのである。」（第３頁右上欄第１３行〜左下欄第８行）
「空気調和装置の送風量を色が異る動く画像で認知できるとともに、冷暖房の区別を色で認知できるため、１目で空気調和状態を確認でき、初心者でも空気調和操作が誤りなく行える。また、表示に面白さ、楽しさを出すことができ、商品性の高い動作表示器として実用性に富む。」（第３頁右下欄第１行〜第６行）
　
　刊行物４（特開昭６３−９６４４２号公報）
「折り曲げ可能で、かつ液密な筒体と液密なケースを液密に接続し、給湯器制御用の信号を伝送する電線を筒体に通して前記ケース内に配線し、この電線に電気的に接続され、給湯器の操作に必要な表示部、操作部、浴水の湯温検知器、浴水の水位検知器を前記ケース内に設けるとともに浴水に浮上可能に前記ケースを形成した給湯器の遠隔操作器。」（第１頁左下欄５行〜１２行）
「本発明は、ケースを浴水上にうかべて、かつ手元で遠隔操作できるから、非常に使い勝手がよい」（第２頁左下欄１行〜３行）
　
３−３−４．対比、判断
（１）本件発明１に対して
（１）−１．（一致点、相違点）　
　本件発明１と刊行物１に記載された発明とを対比すると、下記１の一致点で一致し、下記２の相違点で相違する。
　　　　　　　記１（一致点）
　浴槽本体と循環ポンプとの間に浴湯循環流路を介設し、同浴湯循環流路に空気取入部を連通連結して、浴湯本体に設けた複数の噴出ノズルより浴槽本体内へ気泡混じりの浴湯を噴出可能とし、かつ、噴流形態の変更ができるようにコントローラにより、制御部を介して駆動部を操作可能とし、噴流形態操作スイッチを設け、噴流形態の変更を可能とした気泡発生浴槽。
              記２（相違点）
　相違点１
　コントローラが、手に持って、自由な入浴姿勢で操作ができるようにキャリアの透過窓からコード信号を送信可能にしたリモートコントローラである点。
　相違点２
　コントローラが、操作スイッチと噴流形態表示部を設け、噴流形態を図により動的に表示可能とし、体感と視認によってリモートコントローラを介して噴流形態の変更を可能とした点。
　相違点３
　噴流形態が噴出量及び／又は噴出圧の変更よりなる各種噴流形態である点
　
（１）−２（相違点の判断）
　相違点１について
　　浴槽内において、手に持って手元で遠隔操作できるケースが刊行物４に記載されており、しかもリモートコントローラにおいて赤外線透過窓からコード信号を発信することは周知技術であるから、前記周知技術を併せ見れば、相違点１は刊行物４に記載された発明を刊行物１に記載された発明に適用することにより、当業者が容易に容易に想到しうる程度のことにすぎない。
　相違点２について
　刊行物２には、浴槽水の給湯及び追焚きに使用されるリモコンが液晶デイスプレイ素子と運転スイッチ、自動給湯スイッチ等の操作部とを備え、液晶デイスプレイ素子が浴槽に温水供給中であることなどを、複数の絵パターンをドライバ回路により交互に切り換えることにより行い、表示をアニメーション的に動的に表示することが記載されている。
　その上で検討するに、浴槽の噴流形態の変更は刊行物１に記載されており、浴槽における状態を表示することが刊行物２に記載されている以上、刊行物１の噴流形態の変更を刊行物２のリモコンにより表示し、相違点２にかかる構成の如くすることは当業者が容易に想到しうる程度のことにすぎない。
　相違点３について
　刊行物１のものは、噴流形態の変更について（１）エアー調節装置Ｄのハンドル６０の調節によりにエアー通路を調節することにより行なうもの、（２）切替装置Ｃのハンドル９８の操作により弁体を回転させ出口８８，８９を切り替え噴出口１，２の何れか又は両方からジェット流を噴出させるもの、の２つの形態に分かれる。
　このうち（１）のものは、刊行物１に「噴出ノズル５からの循環浴槽水の噴射に伴う強力な吸引作用により、上記エアーが噴出口１，２の混合室９に吸引される。」（第９頁９行〜１２行）と記載しており、エアーの量をエアー通路の調節により行っているものの、ポンプ等の圧送量の調節によるものではなく、浴槽水の噴射に伴う吸引により噴出するものである。
　これでは、気泡の量を調節することまでしか把握できず、本件発明のような気泡混じりの浴湯の噴出量を変更しているとまで把握することができない。
　次に（２）のものは刊行物１に「弁体９０を回転させて本体５０側周面に設けられた２個の出口８８，８９の何れか一方を選択的に塞ぐことにより、背面又は足側の噴出口１，２のいずれかから、ジェット流を噴出させ、２個の出口８８．８９を両方開くことにより、背側及び足側の噴出口１，２の双方から同時にジェット流を噴出させることができる。」（第１４頁１６行〜第１５頁２行）と記載されており、出口８８，８９の切り替え、開放により噴流形態を変更している。
　ここで、出口の一方を閉じた場合と、両方を解放した場合とでは、噴流の噴出量又は噴出圧に変化が生じる可能性があることはは否定できない。
　しかし、刊行物１の（２）の形態は、出口の開閉により噴出箇所を変更可能とすることを目的としたものであって、噴出量又は噴出圧の変更により噴流形態の変更を行うことを目的としたものではない。
　よって、（２）の形態によっても、本件発明１の「噴出量及び／又は噴出圧の変更よりなる各種噴流形態」が示されているとまで断定することができない。
　また、刊行物２乃至刊行物４には噴流形態の変更に関する事項は記載されていない。
　そして、本件発明１は、この点により訂正明細書記載のマイルドブロー、スプットブロー、パルスブロー、ウエーブブローという種々の噴流形態が実現できるものである。
　よって、本件発明１は、相違点３にかかる構成を具備することにより、その出願の際独立して特許を受けることができるものである。
　
（２）本件発明２に対して
（２）−１．（一致点、相違点）　
　本件発明２と刊行物１に記載された発明とを対比すると、下記１の一致点で一致し、下記２の相違点で相違する。
　　　　　　　記１（一致点）
　浴槽本体と循環ポンプとの間に浴湯循環流路を介設し同浴湯循環流路に空気取入部を連通連結して、浴湯本体に設けた複数の噴出ノズルより浴槽本体内へ気泡混じりの浴湯を噴出可能とし、かつ、噴流形態の変更ができるようにコントローラにより、制御部を介して駆動部を操作可能とし、噴流形態操作スイッチを設けた気泡発生浴槽。
              記２（相違点）
　相違点１
　コントローラが、手に持って、自由な入浴姿勢で操作ができるようにキャリアの透過窓からコード信号を送信可能にしたリモートコントローラである点。
　相違点２
　コントローラが、操作スイッチと噴流形態表示部と、噴流形態を表示した噴流形態操作スイッチを並設し、噴流形態操作スイッチが操作されると、操作された噴流形態操作スイッチに対応する噴流形態表示部に設けられた指標部が点灯する点。
　相違点３
　噴流形態が噴出量及び／又は噴出圧の変更よりなる各種噴流形態である点
（１）−２（相違点の判断）
　相違点１について
　　浴槽内において、手に持って手元で遠隔操作できるケースが刊行物４に記載されており、しかもリモートコントローラにおいて赤外線透過窓からコード信号を発信することは周知技術であるから、前記周知技術を併せ見れば、相違点１は刊行物４に記載された発明を刊行物１に記載された発明に適用することにより、当業者が容易に容易に想到しうる程度のことにすぎない。
　相違点２について
　刊行物２には、浴槽水の給湯及び追焚きに使用されるリモコンが液晶デイスプレイ素子と運転スイッチ、自動給湯スイッチ等の各種スイッチとを備え、各種スイッチの操作により液晶デイスプレイ素子が操作スイッチに対応する表示、例えば浴槽に温水供給中であることなどを表示することが記載されており、この表示が点灯により行われることは明らかである。
　その上で検討するに、浴槽の噴流形態の変更は刊行物１に記載されており、リモコンにより給湯などの操作スイッチを設け、浴槽における状態を表示することが刊行物２に記載されている以上、刊行物１の噴流形態の変更について刊行物２のリモコンの機能を適用し、相違点２にかかる構成の如くすることは当業者が容易に想到しうる程度のことにすぎない。
　相違点３について
　刊行物１のものは、噴流形態の変更について（１）エアー調節装置Ｄのハンドル６０の調節によりにエアー通路を調節することにより行なうもの、（２）切替装置Ｃのハンドル９８の操作により弁体を回転させ出口８８，８９を切り替え噴出口１，２の何れか又は両方からジェット流を噴出させるもの、の２つの形態に分かれる。
　このうち（１）のものは、刊行物１に「噴出ノズル５からの循環浴槽水の噴射に伴う強力な吸引作用により、上記エアーが噴出口１，２の混合室９に吸引される。」（第９頁９行〜１２行）と記載しており、エアーの量をエアー通路の調節により行っているものの、ポンプ等の圧送量の調節によるものではなく、浴槽水の噴射に伴う吸引により噴出するものである。
　これでは、気泡の量を調節することまでしか把握できず、本件発明のような気泡混じりの浴湯の噴出量を変更しているとまで把握することができない。
　次に（２）のものは刊行物１に「弁体９０を回転させて本体５０側周面に設けられた２個の出口８８，８９の何れか一方を選択的に塞ぐことにより、背面又は足側の噴出口１，２のいずれかから、ジェット流を噴出させ、２個の出口８８．８９を両方開くことにより、背側及び足側の噴出口１，２の双方から同時にジェット流を噴出させることができる。」（第１４頁１６行〜第１５頁２行）と記載されており、出口８８，８９の切り替え、開放により噴流形態を変更している。
　ここで、出口の一方を閉じた場合と、両方を解放した場合とでは、噴流の噴出量又は噴出圧に変化が生じる可能性があることは否定できない。
　しかし、刊行物１の（２）の形態は、出口の開閉により噴出箇所を変更可能とすることを目的としたものであって、噴出量又は噴出圧の変更により噴流形態の変更を行うことを目的としたものではない。
　よって、（２）の形態によっても、本件発明２の「噴出量及び／又は噴出圧の変更よりなる各種噴流形態」が示されているとまで断定することができない。
　また、刊行物２乃至刊行物４には噴流形態の変更に関する事項は記載されていない。
　そして、本件発明２は、この点により訂正明細書記載のマイルドブロー、スプットブロー、パルスブロー、ウエーブブローという種々の噴流形態が実現できるものである。
　よって、本件発明２は、相違点３にかかる構成を具備することにより、その出願の際独立して特許を受けることができるものである。
　
（３）本件発明３に対して
　本件発明３は、請求項１又は請求項２を引用するものである。
　よって、（１）及び（２）の本件発明１及び本件発明２におけるのと同様の理由で、その出願の際独立して特許を受けることができるものである。
　
３−３−５．取消理由通知の概要
　本件請求項１及び請求項２に係る発明は、刊行物１（実願昭５７−１４５８０６号（実開昭５９−４８６２７号公報）のマイクロフィルム）及び刊行物２（実願昭６２−１５３６２２号（実開平１−６１５５４号）のマイクロフィルム）に記載された発明に基いて当業者が容易に発明をすることができたものであり、本件請求項３に係る発明は、前記刊行物１、刊行物２及び刊行物３（特開昭５７−１４０２１３号公報）に記載された発明に基いて当業者が容易に発明をすることができたものであるから、本件請求項１乃至請求項３に係る発明の特許は、特許法第２９条第２項の規定に違反しており、取り消されるべきものである。
　
３−３−６．対比・判断
　取消理由通知において対象とした請求項及び引用された刊行物１乃至刊行物３は、上記「３−３−２．取消理由通知の概要」で示したように、取消理由通知の対象とした請求項及び刊行物１乃至刊行物３と一致し、その理由も特許法第２９条第２項違反と一致している。
　したがって、上記「３−３−４．対比、判断」において示した理由と同じ理由で本件発明１乃至本件発明３に係る特許が特許法第２９条第２項に違反しているものとすることができない。
　
３−３−７．訂正についての結論
　以上検討したように、本件訂正は、特許法第１２０条の２第２項及び同第３項で準用する特許法第１２６条第２項乃至第４項の規定を満たしているから、訂正を認める。
　
４．特許異議申立てについて
４−１．特許異議申立ての概要
　本件請求項１乃至請求項３に係る発明は、甲第１号証（実願昭５７−１４５８０６号（実開昭５９−４８６２７号公報）のマイクロフィルム）、甲第２号証（実願昭６２−１５３６２２号（実開平１−６１５５４号）のマイクロフィルム）甲第３号証（実願昭６３−８１３３８号（実開平２−４１５６号）のマイクロフィルム）、甲第４号証（特開昭５７−１４０２１３号公報）及び甲第５号証（ノーリツ社カタログ）に記載された発明に基いて当業者が容易に発明をすることができたものであるから、本件請求項１乃至請求項３に係る発明の特許は、特許法第２９条第２項の規定に違反しており、取り消されるべきものである。
　
４−２．本件発明
　本件訂正が認められたので、本件発明１乃至本件発明３は、上記「３−３−１．訂正された請求項に係る発明」において認定したとおりである。
　
４−３．甲第１号証乃至甲第５号証の記載事項
　甲第１号証、甲第２号証及び甲第４号証は、それぞれ訂正拒絶理由通知で引用した刊行物１、刊行物２及び刊行物３と同じであるから、上記「３−３−３．刊行物の記載事項」で認定したとおりである。
　甲第３号証及び甲第５号証については以下の通りである。
甲第３号証（実開平２−４１５６号）
「風呂浴槽水の循環用ポンプと浴槽水加熱用風呂釜とこれらの運転を操作する遠隔操作装置とを備えた強制循環式風呂装置において、その循環用ポンプがポンプ及び風呂の配管部の凍結防止動作していることを表示する手段として複数のＬＥＤを組み合わせたもの又は液晶とこれらの駆動装置を用い、数字、文字、記号、図形又はこれらの組み合わせによりその遠隔操作装置上に表示する強制循環式風呂装置。」（第１頁５行〜１３行）
「その循環用ポンプがポンプ及び風呂の配管部の凍結防止動作していることを遠隔操作装置上に表示する手段は、複数のＬＥＤを組み合わせたもの又は液晶を用い、凍結防止設定温度、循環用ポンプがポンプ又は風呂の配管部の検出温度又は別途に印刷又は表示された説明書等の凍結防止動作を示す１、２、３・・等の数字又はＡ、Ｂ、Ｃ…等の記号、「凍結防止」、「加熱中」、「ポンプ低速運
転」等の文字、凍結防止を示す例えば氷が溶けている様子を示す図形、又は、これらの組み合わせによりその表示する。この表示は、通常の風呂を使用するときの表示や風呂の浴槽内の温度を維持する追い焚きの表示とは区別できる表示が好ましく、これらの表示と兼ね合わせ、その凍結防止動作の時にのみ表示する数字、文字、記号、図形又はこれらの組み合わせを用いることは、さらにこの風呂装置が動作状態にあることを知ることができより好ましい。
　これらのＬＥＤや液晶の駆動装置としては、通常ＬＥＤや液晶表示装置に用いるものならばどのようなものでも用いることができる。」（第４頁第１２行〜第５頁第１２行）
　
甲第５号証（ノーリツ社カタログ）
　甲第５号証には操作スイッチと動作状態の動的表示部とを並設した浴槽設備が記載されている。この甲第５号証は、上記甲第２号証の考案を採用した給湯装置のカタログであり、液晶表示装置と操作スイッチとを並設した操作部の写真が掲載されている。
　
４−５．対比、判断
　甲第１号証、甲第２号証及び甲第４号証は、それぞれ訂正拒絶理由通知で引用した刊行物１、刊行物２及び刊行物３と同じであるから、上記「３−３−４．対比、判断」で検討したとおり「噴流形態が噴出量及び／又は噴出圧の変更よりなる各種噴流形態である」との本件発明１乃至本件発明３の構成を備えていないことは明らかである。
　そして、甲第３号証に記載されたものは、その循環用ポンプの動作表示手段としてＬＥＤ又は液晶表示装置を用い、数字、文字、記号、図形又はこれらの組み合わせにより表示する強制循環式風呂装置であって、「噴流形態が噴出量及び／又は噴出圧の変更よりなる各種噴流形態である」との本件発明１乃至本件発明３の構成を備えていない。
　さらに甲第５号証に記載されたものは、甲第２号証考案を採用した製品のカタログであって、やはり「噴流形態が噴出量及び／又は噴出圧の変更よりなる各種噴流形態である」との本件発明１乃至本件発明３の構成を備えていない。
　よって、甲第１号証乃至甲第５号証に記載された発明は、いずれも「噴流形態が噴出量及び／又は噴出圧の変更よりなる各種噴流形態である」との本件発明１乃至本件発明３の構成を備えていないのであるから、本件発明１乃至本件発明３は甲第１号証乃至甲第５号証に記載された発明に基いて当業者が容易に発明をすることができたものといえない。
　以上検討したように、本件請求項１乃至請求項３に係る発明の特許は、特許法第２９条第２項の規定に違反していない。
　
５．むすび
　したがって、本件請求項１乃至請求項３に係る発明の特許は、異議申立人の理由及び証拠によっては取り消すことができない。
　また、他に本件請求項１乃至請求項３に係る発明の特許を取り消すべき理由を発見しない。
　よって結論のとおり決定する。
【異議決定日】
平成１２年６月８日（２０００．６．８）
【訂正の要旨】
訂正の要旨
訂正事項Ａ
　特許第２７６１０７１号明細書の特許請求の範囲の請求項１及び２を、特許請求の範囲の減縮を目的として
「【請求項１】浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、手に持って、自由な入浴姿勢で噴流形態の変更ができるように、キャリアの透過窓からコード信号を送信可能に構成したリモートコントローラにより、制御部を介して駆動部を操作可能とした気泡発生浴槽において、
　上記リモートコントローラに噴流形態操作スイッチと噴流形態表示部を設け、噴出量及び／又は噴出圧の変更よりなる各種噴流形態を図により動的に表示可能とし、体感と視認によってリモートコントローラを介して噴流形態の変更を可能としたことを特徴とする気泡発生浴槽。
　【請求項２】浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、噴出量及び／又は噴出圧の変更よりなる各種噴流形態を、手に持って、自由な入浴姿勢で変更できるように、キャリアの透過窓からコード信号を送信可能に構成したリモートコントローラにより、制御部を介して駆動部を操作可能とした気泡発生浴槽において、
　上記リモートコントローラに噴流形態表示部と、噴流形態を表示した噴流形態操作スイッチを並設し、噴流形態操作スイッチが操作されると、操作された噴流形態操作スイッチに対応する噴流形態表示部に設けられた指標部が点灯することを特徴とする気泡発生浴槽。」と訂正する。
訂正事項Ｂ
　特許第２７６１０７１号明細書の公報第３欄第２３行〜第３５行の「本発明は、浴槽本体と循環ポンプとの間に〜特徴を有する。」を、明りょうでない記載の釈明を目的として、
「本発明は、浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、手に持って、自由な入浴姿勢で噴流形態の変更ができるように部を介して駆動部を操作可能とした気泡発生浴槽において、上記リモートコントローラに噴流形態操作スイッチと噴流形態表示部を設け、噴出量及び／又は噴出圧の変更よりなる各種噴流形態を図により動的に表示可能とし、体感と視認によってリモートコントローラを介して噴流形態の変更を可能としたことを特徴とする気泡発生浴槽に係るものである。
　また、本発明は、浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、噴出量及び／又は噴出圧の変更よりなる各種噴流形態を、手に持って、自由な入浴姿勢で変更できるように、キャリアの透過窓からコード信号を送信可能に構成したリモートコントローラにより、制御部を介して駆動部を操作可能とした気泡発生浴槽において、上記リモートコントローラに噴流形態表示部と、噴流形態を表示した噴流形態操作スイッチを並設し、噴流形態操作スイッチが操作されると、操作された噴流形態操作スイッチに対応する噴流形態表示部に設けられた指標部が点灯することにも特徴を有する。」と訂正する。
　訂正事項Ｃ
　特許第２７６１０７１号明細書の公報第３欄第４２行〜第５０行の「１）入浴者が操作した噴流形態が〜安心して入浴することができる。」を、明りょうでない記載の釈明を目的として、
「１）手に持って、自由な入浴姿勢で噴流形態の変更ができるように、キャリアの透過窓からコード信号を送信可能に構成したリモートコントローラにより、制御部を介して駆動部を操作可能とした気泡発生浴槽において、上記リモートコントローラに噴流形態操作スイッチと噴流形態表示部を設け、噴出量及び／又は噴出圧の変更よりなる各種噴流形態を図により動的に表示可能とし、体感と視認によってリモートコントローラを介して噴流形態の変更を可能としている。すなわち、入浴者が操作した噴流形態が図で動的に表示されるために、視覚的に操作状況を確認できるので、操作しやすく、安心して入浴することができる。また、噴流形態の変化を見ながら入浴を楽しむことができる。
２）入浴者は、リモートコントローラを手に持って、自由な入浴姿勢で楽に噴流形態の変更等を行なうことができる。しかも、入浴者が、噴流形態を表示した噴流形態操作スイッチを操作すると、同スイッチに対応する噴流形態表示部の指標部に表示されるために、視覚的に操作状況を確認できて操作しやすく、安心して入浴することができる。」と訂正する。
（５４）【発明の名称】
気泡発生浴槽
（５７）【特許請求の範囲】
　　　【請求項１】浴槽本体と循環ポンプとの間に浴湯循環流路を介設し、同浴湯循環流路に空気取入部を連通連結して、浴槽本体に設けた複数の噴出ノズルよリ浴槽本体内へ気泡混じりの浴湯を噴出可能とし、かつ、
手に持って、自由な入浴姿勢で噴流形態の変更ができるように、キャリアの透過窓からコード信号を送信可能に構成したリモートコントローラにより、制御部を介して駆動部を
　
上記リモートコントローラに
設け
噴出量及び／又は噴出圧の変更よりなる各種
、体感と視認によってリモートコントローラを介して噴流形態の変更を可能とし
　　　【請求項２】浴槽本体と循環ポンプとの間に浴湯循環流路を介設し、同浴湯循環流路に空気取入部を連通連結して、浴槽本体に設けた複数の噴出ノズルより浴槽本体内へ気泡混じりの浴湯を噴出可能とし、かつ、
噴出量及び／又は噴出圧の変更よりなる各種噴流形態を、手に持って、自由な入浴姿勢で変更できるように、キャリアの透過窓からコード信号を送信可能に構成したリモートコントローラにより、制御部を介して駆動部を
　上記
リモートコントローラ
　　　【請求項３】上記噴流形態表示部を液晶表示式とし、液晶表示素子の点滅により噴流形態を動的に表示可能としたことを特徴とする請求項１または２に記載の気泡発生浴槽。
【発明の詳細な説明】
（イ）産業上の利用分野
　本発明は、気泡発生浴槽のリモートコントローラ構造に関するものである。
（ロ）従来の技術
　従来、気泡発生浴槽の一実施例として、浴槽本体と循環ポンプとの間に浴槽循環流路を介設し、同浴湯循環流路に空気取入部を連通連結して、浴槽本体内へ気泡混じりの浴湯を噴出可能とし、かつ、循環ポンプの回転数を制御部により制御して、気泡混じりの浴湯の噴出量を調整可能としたものがある。
　そして、制御部を介した循環ポンプの操作は、浴室の壁面に固定状態に取付けられている操作部により行なうことができるようにしている。
（ハ）発明が解決しようとする課題
　ところが、上記した気泡発生浴槽の操作部の場合、浴室の壁面に取付けられているために、操作部を操作する際には、入浴者は同操作部に手がとどく位置まで近づかなければならず、くつろいだ入浴姿勢では操作ができないという問題がある。
　また、上記操作部では、循環ポンプの回転数の変更操作を行なって、噴流形態を変更することができるようにしているが、入浴者にとって、かかる変更操作による噴流形態の変化は、体感により知る以外になく、かかる体感も噴流になれてくると分らなくなるという問題があった。
（ニ）課題を解決するための手段
　本発明は、浴槽本体と循環ポンプとの間に浴湯循環流路を介設し、同浴湯循環流路に空気取入部を連通連結して、浴槽本体に設けた複数の噴出ノズルよリ浴槽本体内へ気泡混じりの浴湯を噴出可能とし、かつ、
手に持って、自由な入浴姿勢でで噴流形態の変更ができるように、キャリアの透過窓からコード信号を送信可能に構成したリモートコントローラにより、制御部を介して駆動部を
上記リモートコントローラに
設け
噴出量及び／又は噴出圧の変更よりなる各種
、体感と視認によってリモートコントローラを介して噴流形態の変更を可能とし
　また、本発明は、上記
リモートコントローラ
　さらに、本発明は、上記噴流形態表示部を液晶表示式とし、液晶表示素子の点滅により噴流形態を動的に表示可能としたことにも特徴を有する。
（ホ）作用・効果
　本発明によれば、以下のような作用効果が生起される。
　すなわち、本発明では、
１）
手に持って、自由な入浴姿勢で噴流形態の変更ができるように、キャリアの透過窓からコード信号を送信可能に構成したリモートコントローラにより、制御部を介して駆動部を
上記リモートコントローラに
設け
噴出量及び／又は噴出圧の変更よりなる各種
、体感と視認によってリモートコントローラを介して噴流形態の変更を可能としている。すなわち、
２）
入浴者は、リモートコントローラを手に持って、自由な入浴姿勢で楽に噴流形態の変更等を行なうことができる。しかも、
３）液晶表示素子の点滅により、噴流形態の変化をより視覚的に確認できるので、入浴の楽しさが増し、噴流形態の変更操作も楽しく行える。
（ヘ）実施例
　以下に、本考案の実施例を図面を参照しながら説明する。
〔気泡発生浴槽の全体構成〕
　まず、本考案に係る操作部スイッチ構造を具備する気泡発生浴槽の全体構成について説明する。
　第１図及び第２図において、（Ａ）は気泡発生浴槽であり、同気泡発生浴槽（Ａ）は、上面開口の箱型に形成した浴槽本体（１）の前後壁及び左右側壁に、それぞれ噴出量自動可変の足側・背側・胸側用の噴出ノズル（２）（２）、（３）（３）、（４）（４）を合計六個設けている。
　かかる噴出ノズル（２）（３）（４）の具体的な構造は、先に出願人が出願した特願平１−７３３６７号に記載のものと同様に構成している。
　そして、上記浴槽本体（１）は、周縁に一定幅の鍔状の縁部（１ａ）を形成し、同縁部（１ａ）に空気取入部（５）と操作部としての操作パネル部（６）を一体的に取付け、左右側壁の略中央部に、横断面略Ｖ字状の縦長凹部（１ｂ）（１ｂ）を形成し、同凹部（１ｂ）（１ｂ）の後壁（背側）に面する側の傾斜面（１’ｂ）（１’ｂ）に、上記胸側噴出ノズル（４）（４）を後壁の中央部に向けて取付けている。
　また、かかる気泡発生浴槽（Ａ）の外部にはポンプ保護ケース（Ｋ）を配設しており、同ケース（Ｋ）内には、浴湯を循環させる循環ポンプ（Ｐ）と、同ポンプ（Ｐ）により循環される浴湯を濾過する濾過機（Ｆ）と、同ポンプ（Ｐ）を駆動させるポンプ駆動用モーター（Ｍ）と、同モーター（Ｍ）や各噴出ノズルのノズル用弁体開閉作動用モーター（Ｍ１）及び電動三方弁（Ｇ）の駆動を制御する制御部（Ｃ）とを設けている。
　制御部（Ｃ）は、第２図に示すように、マイクロプロセッサ（ＭＰＵ）と、入出カインターフェース（ａ）（ｂ）と、ＲＯＭとＲＡＭとからなるメモリ（ｍ）と、タイマー（ｔ）とから構成している。
　また、上記循環ポンプ（Ｐ）と気泡発生浴槽（Ａ）との間には、浴湯循環流路（Ｄ）を介在させている。
　すなわち、浴湯循環流路（Ｄ）は、気泡発生浴槽（Ａ）から循環ポンプ（Ｐ）へ浴湯を送るための浴湯吸込パイプ（１０）と、同循環ポンプ（Ｐ）から、同浴湯（Ａ）へ浴湯を送るための浴湯強送パイプ（１１）とより構成している。
　そして、同浴湯吸込パイプ（１０）は、浴槽本体（１）の下部に開口いた吸入口（１ｍ）に一端を連通連結し、循環ポンプ（Ｐ）の吸水口に他端を連通して同循環ポンプ（Ｐ）に浴湯を吸込むようにする一方、浴湯強送パイプ（１１）は、循環ポンプ（Ｐ）の吐出口に一端を連通し、前記噴出ノズル（２）（３）（４）にそれぞれ他端を連通連結している。
　また、上記した吸入口（１ｍ）は、足側・背側用の噴出ノズル（２）（３）よりも低位置に設けている。
　また、前記した空気取入部（５）と各噴出ノズル（２）（３）（４）との間には、吸気パイプ（１２）（１３）（１４）を介設しており、各噴出ノズル（２）（３）（４）の浴湯噴出時に生じる負圧を利用して、空気取入部（５）より取入れた空気を、上記吸気パイプ（１２）（１３）（１４）中を通して各噴出ノズル（２）（３）（４）内へ吸入させ、各噴出ノズル（２）（３）（４）より浴湯本体（１）内へ気泡混じりの浴湯を噴出可能としている。
　また、循環ポンプ（Ｐ）を駆動させるポンプ駆動用モーター（Ｍ）と制御部（Ｃ）との間には、第２図に示すように、インバータ（Ｉ）を介設し、同インバータ（１）の出力周波数を変化させて循環ポンプ（Ｐ）の回転数を制御することにより、循環ポンプ（Ｐ）の回転数の変更を円滑かつ確実に行なえるようにしている。
　また、浴湯吸込パイプ（１０）の中途部（循環ポンプ（Ｐ）内の吸込側とすることもできる）には、第２図に示すように圧力検出センサ（Ｓ）を取付けており、浴槽本体（１）内のお湯張り量、すなわち水位を検出するとともに、浴湯吸込パイプ（１０）内を通して循環ポンプ（Ｐ）に吸込まれる浴湯の圧力を検出することができる。
　そして、かかる圧力検出センサ（Ｓ）からの出力によって測定した水位レベルによって、制御部（Ｃ）によるブロー運転、凍結防止運転、濾過機洗浄運転及び自動濾過機洗浄運転の開始及び停止を制御するように構成している。
　なお、これら各運転の内容は、先に出願人が出願した特願平１−７３３６７号に記載しているものと同様である。
　また、浴湯強送パイプ（１１）の中途部には、第２図に示すように、同パイプ（１１）内を圧送される浴湯の温度を検出する浴湯温度検出センサ（Ｔ）を取付け、同センサ（Ｔ）からの検出結果を制御部（Ｃ）に送り、同制御部（Ｃ）によりポンプ駆動用モーター（Ｍ）及び各噴出ノズル（２）（３）（４）を制御するようにしている。
　そして、かかる浴湯温度検出センサ（Ｔ）を用いることによって、給湯が一定の水温に満たない場合には、制御部（Ｃ）によるブロー運転が開始されないようにしている。
　このように、制御部（Ｃ）によるブロー運転は、浴湯が一定の水位と一定の水温に満たない場合には運転が開始されないようにしている。
　また、上記したブロー運転では、前記した特願平１−７７３３６７号に記載のマイルドブロー、指圧ブロー（本実施例ではスポットブロー）、パルスブロー、ウェーブブロー、サイクルブロー、及びプログラムブロー（本実施例ではランダムブロー）の各噴流形態が採れるようにしていると共に、各噴流形態での強弱レベルの変更が行えるようにしている。
　また、上記のように構成した気泡発生浴槽（Ａ）には、操作パネル部（６）とは別個に、やはり操作部として、手に持った状態で前記した制御部（Ｃ）に駆動出力を送ることのできるリモートコントローラ（３０）を、浴室側壁（Ｗ）に設けたコントローラ収納ケース（３０’）内に出し入れ自在に収納している。
〔リモートコントローラの説明〕
　以下、リモートコントローラ（３０）について、第３図〜第９図を参照して説明する。
　すなわち、リモートコントローラ（３０）は、全体を防水構造としており、第３図に示すように、前後方向に縦長の偏平箱型のコントローラケース（３１）内に、電気回路部（３２）と噴流形態表示部としてのブロー状態表示部（５９）と電池（Ｂ）を設けると共に、同ケース（３１）の表面に操作スイッチ部（３３）を設けている。なお、本実施例では、噴流形態表示部（ブロー状態表示部）の液晶表示素子をドットで表わした場合について説明する。
　コントローラケース（３１）は、第５図〜第７図に示すように、上側ケース（３４）と、下側ケース（３５）と、両ケース（３４）（３５）の前端間に介設した赤外線透過窓（３６）（いわゆるスモークトップ）と、両ケース（３４）（３５）の後部間に介設して電気回路室（３９）と電池室（４０）とを隔離形成する隔壁（３７）と、両ケース（３４）（３５）の右側壁後部間に着脱自在に取付けて電池室（４０）を開閉する蓋体（３８）とから形成している。
　また、上側ケース（３４）は、第６図及び第７図に示すように、左側半部に長方形状の開口部（３４ａ）を開口して、同開口部（３４ａ）より本考案の要旨をなすブロー状態表示部（５９）の表面を露出可能とし、同開口部（３４ａ）の前後側方及び右側方に沿わせて平面視コ字状の段付凹状の操作スイッチ取付用凹部（３４ｂ）を形成している。
　また、操作スイッチ部（３３）は、第４図及び第６図に示すように、操作スイッチ部取付用凹部（３４ｂ）内に、クリック感を付与したシート状のメンブレンスイッチ（７０）を取付け、同スイッチ（７０）の表面に表面シート（７１）を張設している。
　そして、メンブレンスイッチ（７０）には多数個の各種操作スイッチを設け、同各種操作スイッチを操作することにより、操作パネル部（６）とは別個にブロー運転等を開始することができるようにしている。
　また、第３図に示す各種操作スイッチは、噴流形態操作スイッチ（７２）と運転スイッチ（７３）からなり、噴流形態操作スイッチ（７２）中、（７４）はマイルドブースイッチ、（７５）はスポットブロースイッチ、（７６）はパルスブロースイッチ、（７７）はウェーブブロースイッチ、（７８）はサイクルブロースイッチ、（７９）はランダムブロースイッチ、（８０）（８１）は浴湯噴出強・弱側スイッチ、（８２）は足側噴出ノズル使用パターンスイッチ、（８３）は背側噴出ノズル使用パターンスイッチ、（８４）は胸側噴出ノズル使用パターンスイッチである。
　また、（８５）は、チャイルドロック表示部である。
そして、チャイルドロック操作は、前記したいずれかのブロースイッチの内の一つを、例えば続けて２回押すと、あらかじめ設定したシリアルコード送信信号に基づいて、コード信号が赤外線をキャリアとして送信され、かかる赤外線を赤外線受信部（９）が検知すると、制御部（Ｃ）が循環ポンプ（Ｐ）の動作ができないように制御し、いくら操作パネル部（６）を操作してもブロー運転を始動できないようにしている。
　これは、子供の入浴時に大人があらかじめ上記の操作をしておくことにより、子供が操作パネル部（６）を誤って操作してもブロー運転が動作しないようにして、子供の安全を確保しているものである。
　また、電気回路部（３２）は、第５図及び第６図に示すように、電気回路部室（３９）内に基板（４５）（プリント回路基板）を配設し、同基板（４５）にブロー状態表示部（５９）と赤外線発信体として三個の発光ダイオード（４７）（４８）（４９）を導電状態に取付けると共に、同基板（４５）に操作スイッチ部（３３）のメンブレンスイッチ（７０）をリード線（５０）を介して接続する一方、同基板（４５）に電池（Ｂ）を接続端子（５１）を介して接続している。
　また、第５図に示す赤外線発信体としての発光ダイオード（４７）（４８）（４９）は、操作パネル部（６）に設けた赤外線受信部（９）に向けて赤外線を赤外線透過窓（３６）を通して発信するためのものであり、基板（４５）の前端中央部と前部左右側部にそれぞれ取付けて、中央部の発光ダイオード（４７）は、前方へ向けて赤外線を発信可能とし、左右側部の発光ダイオード（４８）（４９）は、それぞれ左右側下方へ向けて赤外線を発信可能としている。
　また、各発光ダイオード（４７）（４８）（４９）からは、操作スイッチ部（３３）を操作することにより、あらじめ設定したシリアルコード送信信号に基づいて、各種操作スイッチに応じた所定のコード信号が赤外線をキャリアとして送信されるものであり、かかる赤外線が赤外線受信部（９）により検出されるようにしている（第２図参照）。
　また、ブロー状態表示部（５９）は、第６図及び第７図に示すように、基板（４５）上に載置した左右一対のラバーコネクタ（６０）（６０）と、同コネクタ（６０）（６０）上に載置したブロー状態表示板（６１）と、上半部を上側ケース（３４）の開口部（３４ａ）に内方より嵌合させたブロー状態視認窓板（６３）と、同視認窓板（６３）とブロー状態表示板（６１）との間に介在させた緩衝部材（６４）とから構成している。
　また、ブロー状態表示板（６１）は、第３図に示すように、ドライバーにより動作する液晶表示器（ＬＣＤ）により、入浴者が操作スイッチ部（３３）を操作して選択した各種噴流形態をドット表示するようにしている。かかるブロー状態表示板（６１）による液晶表示は、本発明の要旨をなすものであり、後に詳説する。
　また、ブロー状態視認窓、板（６３）は、透明なポリカーボネートやポリサルホンやアクリロニトリルーブタジエンースチレン（ＡＢＳ）樹脂等の合成樹脂により成形して、ブロー状態表示板（６１）を透視可能とすると共に、同表示板（６１）を保護している。
　また、第８図に示すブロー状態表示部（５９）中、（８６）は噴流形態ドット表示部、（８７ａ）（８７ｂ）（８７ｃ）は、それぞれ足側・背側、胸側浴湯噴出位置表示部、（８８）は強弱レベル表示部、（８９）はランダム表示部、（９５）（９６）（９７）は、それぞれＡ・Ｂ・Ｃモード表示部（９０）（９１）（９２）（９３）（９４）は、それぞれ噴流形態指標部であり、（９０）はマイルドブロー指標部、（９１）はスポットブロー指標部、（９２）はパルスブロー指標部、（９３）ウェーブブロー指標部、（９４）はサイクルブロー指標部である。
　また、噴流形態ドット表示部（８６）は、第８図に示すように、縦一列が１４個のドット列を、横方向に５列配列して、各ドットの点滅により噴流形態の動態表示、浴湯の噴出量及び噴出箇所（足側、背側、胸側）を表示可能としている。
　そして、液晶表示する噴流形態ドット表示部（８６）、浴湯噴出位置表示部（８７ａ）（８７ｂ）（８７ｃ）、強弱レベル表示部（８８）、ランダム表示部（８９）、及び噴流形態指標部（９０）（９１）（９２）（９３）（９４）は、第９図に示すピン接続図において、通電されたピン接続縦線（Ｐ１）（Ｐ２）（Ｐ３）と、ピン接続横線（Ｐ４）〜（Ｐ３７）とが交わる個所が点灯するようにしている。
　例えば、ピン接続縦線（Ｐ３）とピン接続横線（Ｐ９）が通電されると左上隅のドットが点、灯する。
　そして、各ブロースイッチを押すと、噴流形態ドット表示部（８６）にそれぞれ第１０図〜第１５図に示すような動態表示がなされるようにしている。
　以下、各噴流形態、すなわち、マイルドブロー、スポットブロー、パルスブロー、ウェーブブロー、サイクルブロー、及びランダムブローの各動態表示を、第１０図〜第１５図を参照して説明する。
（マイルドブロー）
　マイルドブローは、各噴出ノズル（２）（３）（４）からの浴湯の噴出量が多くかつ噴出圧が低い噴流形態であり、かかる噴流形態を動態表示すべく、第１０ｂ図に示すように、上部十段が横五列で、その直下方の段が横三列、そして、下部三段が中央に一列のドットが点滅するようにして、かかる下部のみが先細り状の形態により、下方より上方へ向けて大量の浴湯が噴出されるマイルドブローを入浴者にイメージさせている。
　すなわち、マイルドブロースイッチ（７４）をＯＮすると、第１０ａ図に示すように、まず、最下段のドットが点灯し、一定時間、例えば０．１秒毎に上方へ一段ずつ積重ね状に点灯していき、第１０ｂ図に示すような形態で全灯する。
　かかる全灯表示によリマイルドブロー運転が開始されたことを入浴者にイメージをさせるようにしている。
　そして、全灯後、一定時間、例えば０．１秒後、第１０ｃ図に示すように、最下段に位置するドットより二段だけ消滅し、かかる消滅した二段が１段ずつ上方へ移行するように、下段側を点灯させると共に、その二つ上の上段側を消灯させるという表示を順次繰返し、最上段に至って、第１０ｄ図に示すように全灯する。
　かかるドットの点滅により、消灯ドットが下方から上方へ一段ずつ移行して、マイルドブロー形態の浴湯が下方から上方へ向けて噴出されていることを入浴者にイメージさせるようにしてる。
　また、全灯後、例えば、１．０秒後に第１０ｅ図に示すように、全消し、例えば０．５秒経過後、再度第１０ａ図に示すドット表示に戻り、上記した動態表示を繰返す。
（スポットブロー）
　スポットブローは、各噴出ノズル（２）（３）（４）からの浴湯の噴出量が少なくかつ噴出圧が高い噴流形態であり、かかる噴流形態を動態表示すべく、第１１ｂ図に示すように、上部二段が横五列で、中途部七段が三列、そして下部五段が中央に一列のドットが点滅するようにして、かかる下方へ漸次先細り状の形態により、下方より上方へ向けて噴出される指圧感のあるスポットブローを入浴者にイメージさせるようにしている。
　そして、スポットブロースイッチ（７５）をＯＮすると、第１１ａ図に示すように、最下段のドットが点灯し、一定時間、例えば０．１秒毎に上方へ一段ずつ積重ね状に点灯していき、第１１ｂ図に示すような形態で全灯する。
　かかる全灯表示によリスポットブロー運転が開始されたことを入浴者にイメージさせる。
　そして、全灯後、一定時間、例えば０．１秒後、第１１ｃ図に示すように、最下段に位置するドットより二段だけ消滅し、かかる消滅した二段が１段ずつ上方へ移行するように、下段側を点灯させると共に、その二つ上の上段側を消灯させるという表示を順次繰返し、各段を順次点滅させ、最上段に至って、第１１ｄ図に示すように、全灯する。
　かかるドットの点滅により、消灯ドットが下方から上方へ一段ずつ移行して、指圧的な浴湯が下方から上方へ向けて噴出されていることを入浴者にイメージさせるようにしている。
　また、全灯後、例えば１．０秒後に、第１１ｅ図に示すように、全消し、例えば、０．５秒経過後に、再度第１１ａ図に示すドット表示に戻り、上記した動態表示を繰返す。
（パルスブロー）
　パルスブローは、個々の噴出ノズル（２）（３）（４）を周期的に開閉作動させ、浴湯の噴出・停止を交互に行なう噴流形態であり、第１２図に示すように、スポットブローと同一形態、すなわち、下方へ漸次先細り状の形態を、一定時間、例えば１．５秒間、第１２ａ図に示すように全灯させ、その後一定時間、例えば０．５秒間、第１２ｂ図にしめすように全消させて、噴流がパルス的に出たり出なかったりするブローを入浴者にイメージさせることができるようにしている。
（ウエーブブロー）
　ウェーブブローは、循環ポンプ（Ｐ）の回転数を周期的に変更して、浴湯の噴出量・噴出圧を周期的に変化させる噴流形態であり、かかる噴流形態を動態表示すべく、第１３ａ図に示すように、３８個の点灯ドットにより上下に大小二つの三角形を表示した形態を、二画面連続させて表示するようにプログラムしておくことにより、入浴者に寄せては返す波のイメージを与えるようにしている。
　すなわち、ウェーブブロースイッチ（７６）をＯＮすると、第１３ａ図に示すように、例えば、０．１秒毎に点灯ドットが上段より下段に向って一段ずつ移行して、上方から下方へ向けて大小二つの波が二回連続して流れ、波状に浴湯が噴出されていることを入浴者にイメージさせるようにしている。
　また、上記のように３８ドットが移行した後は第１３ｂ図に示すように、例えば、０．１秒毎に点灯ドットが下方より上方へ向って一段ずつ移行して、下方から上方へ向って大小二つの波が二回連続して流れ、波状に浴湯が噴出されていることを入浴者にイメージさせるようにしている。
　このようにして、第１３ａ図及び第１３ｂ図に示すような点灯ドットの移行により、寄せては返す波のイメージを入浴者に与えることができる。
（サクルブロー）
　サイクルブローは、浴湯が噴出される個所を自動的かつ周期的に変更することにより、浴湯の噴出個所の変化を楽しむことのできる噴流形態である。
　すなわち、サイクルブローは、例えば、背側噴出ノズル（３）（３）→胸側噴出ノズル（４）（４）→足側噴出ノズル（２）（２）の順に一定時間各噴出ノズルを開放して浴湯を噴出するものであり、この際、各噴出ノズル（２）（３）（４）より噴出する浴湯形態は、前記マイルドブロー、スポットブロー、ウェーブブロー、さらには、マイルドブローと指圧ブローとを周期的に変化させる噴流形態を採ることができる。
　また、上記のような噴流形態を動態表示すべく、第１４ｈ図に示すように、マイルドブローと同一形態、すなわち、下部のみが先細り状の形態と、第１４ｃ図に示すように、左側列から右側列に向って漸次拡散する二等辺三角形状の形態と、第１４ｄ図に示すように、右側列から左側列に向って漸次拡散する一等辺三角形状の形態と、第１４ｆ図に示すように、マイルドブローの形態を上下反転させた上部のみが先細り状の形態とにより、噴出個所が変化する状態を入浴者に視認させることができるようにしている。
　すなわち、サイクルブロースイッチ（７７）をＯＮすると、第１４ａ図に示すように、最下段のドットが点灯し、一定時間、例えば０．１秒毎に上方へ一段ずつ積重ね状に点灯していき、第１４ｂ図に示すような形態で全灯する。
　かかる動態表示により背側噴出ノズル（３）（３）より浴湯が噴出されていることを入浴者に視認させることができる。
　また、上記全灯から例えば０．５秒後に全消し、例えば０．５秒後に、第１４ｃ図に示すように、左側のドット列が点灯し、一定時間、例えば、０．１秒毎に右側方へ一列ずつ並列状に点灯して全灯し、例えば０．５秒後に全消する。
　かかる動態表示により、左側の胸側ノズル（４）から浴湯が噴出されていることを入浴者に視認させることができる。
　また、上記全消から、例えば０．５秒後に、第１４ｄ図に示すように、右側のドット列が点灯し、一定時間、例えば、０．１秒毎に左側方へ一列ずつ並列状に点灯して全灯し、例えば０．５秒後に全消する。
　かかる動態表示により、右側の胸側ノズル（４）から浴湯が噴出されていることを入浴者に視認させることができる。
　また、上記全消から例えば０．５秒後に、第１４ｅ図に示すように、最上段のドットが点灯し、一定時間、例えば０．１秒毎に下方へ一段ずつ追加状に点灯していき、第１４ｆ図に示すような形態で全灯する。
　かかる動態表示により、足側噴出ノズル（２）（２）より浴湯が噴出されていることを入浴者に視認させることができる。
　また、上記全灯から例えば０．５秒後に全消し、例えば０．５秒経過後に再度第１４ａ図に示すドット表示に戻り、上記した動態表示を繰返す。
（ランダムブロー）
　ランダムブローは、噴流形態や噴流強さや噴流個所の選択を、予め設定したプログラムに応じて任意に組合せ或は経時変化させて、噴流の変更を多様化させたものであり、定形のおしつけ方式でない意外性のある噴流形態の組合せ順序が楽しめるものである。
　そして、かかる噴流形態を動態表示すべく第１５ａ図に示すマイルドブローの動態表示、第１５ｂ図に示すスポットブローの動態表示、第１５ｃ図に示すパルスブローの動態表示、第１５ｄ図及び第１５ｅ図に示すサイクルブローの動態表示、第１５ｆ図に示すウェーブブローの動態表示により、意外性のある噴流形態の変化を入浴者に視認させることができるようにしている。
　すなわち、第１５ａ図に示すマイルドブローの動態表示では、まず最下段のドットが点灯し、例えば、０．１秒毎に上方へ一段ずつ積重ね状に点灯していき全灯する。
　また、第１５ｂ図に示すスポットブローの動態表示では、まず、最下段のドットが点灯し、例えば、０．１秒毎に上方へ一段ずつ積重ね状に点灯していき全灯する。
　また、第１５ｃ図に示すパルスブローの動態表示では、スポットブローと同一形態で例えば１．０秒間全灯し、その後、例えば、０．５秒間全消するという表示を２回繰返して、次のブローの動態表示に移行するようにしている。
　また、第１５ｄ図に示すサイクルブローの動態表示では、マイルドブローの動態表示と同一形態で、ドットが最下段から上方へ一段ずつ積重ね状に点灯して、背側噴出ノズル（３）（３）からマイルドブロー形態の浴湯が噴出していることを視認可能としている。
　また、第１５ｅ図に示すサイクルブローの動態表示では、マイルドブローの動態表示を上下に反転させた形態で、ドットが最上段から下方へ一段ずつ追加状に点灯して、足側噴出ノズル（２）（２）からマイルドブロー形態の浴湯が噴出していることを視認可能としている。
　また、第１５ｆ図に示すウェーブブローの動態表示では、上下方向へそれぞれ３８ドットが移行する動態変化の後、次のブローの動態表示に移行するようにしている。
　また、各ブローの動態表示に移行する際には、例えば０．５秒間は一旦全消するようにしている。
　また、本実施例では、パルスブロー、ウェーブブロー、サイクルブロー、及びランダムブローに、それぞれ三種類のモードを設定しており、同モードは、本出願人が先に出願した特願平１−７３３６７号に記載のものと同様である。
　また、各噴流形態において、各モードを変更した場合には、最初の動態表示から始まるようにしている。
　また、入浴者が選択したモードは、Ａ・Ｂ・Ｃモード表示部（９５）（９６）（９７）の内、いずれかの選択したモードと一致する表示部が点灯して、入浴者が視認できるようにしている。
　また、ドット表示による各噴流形態の動態表示は、上記した表示に限定されるものではななく、噴流形態や噴流強さや噴流個所を入浴者に視覚的にイメージさせることのできる動態表示パターンであればよい。
　また、噴流形態ドット表示部（８６）では、噴流形態のみでなく、ドット表示によるタイマー表示等も可能である。
　例えば、マイルドブローを１分間運転した直後に、上記ドット表示部（８６）に１分間経過を視認させるための「１」をドット表示することができる。
　また、本実施例では、ブロー状態表示部（５９）をリモートコントローラ（３０）に設けているが、同表示部（５９）は、操作パネル部（６）に設けることも、また、独立して浴室の壁面に取付けるようにすることもできる。
　また、リモートコントローラ（３０）と制御部（Ｃ）とを、赤外線をキャリアとして双方向通信可能とし、実際に運転しているブロー形態と同一の動態表示をリアルタイムに行なうことができるようにすることもできる。
　本発明の実施例は、上記のように構成しているものであり、本実施例によれば、以下のような作用効果が生起される。
すなわち、本実施例では、リモートコントローラ（３０）により、循環ポンプ（Ｐ）及び各噴出ノズル（２）（３）（４）を制御部（Ｃ）を介して操作可能としているために、入浴者は同リモートコントローラ（３０）を手に持って、自由な入浴姿勢で楽に噴流形態の変更等を行なうことができる。
　また、リモートコントローラ（３０）にはブロー状態表示部（５９）を設け、同表示部（５９）によリブロー状態を図形表示可能としているために、入浴者は、図形表示されたブロー状態を視認しながら入浴を楽しむことができる。
　この際、ブロー状態表示部（５９）は、液晶表示器によりドット表示し、ドットの点滅によリ噴流形態の動態表示を可能としているために、入浴者は、表示された噴流形態の動的変化を視認することができて、入浴の楽しさが増大する。
　さらに、液晶表示器によるドット表示の形態及び動態により浴湯の噴出量及び噴出個所を表示可能としているために、浴湯の噴出量及び噴出個所に体感がなれた場合にも、ブロー状態表示部（５９）により浴湯の噴出量及び噴出個所を視認することができて、続いて行なう噴流形態の変更等を楽しく行なうことができる。
【図面の簡単な説明】
第１図は、本発明に係るリモートコントローラ構造を具備する気泡発生浴槽の説明図。
第２図は、同気泡発生浴槽の概念的構成説明図。
第３図は、リモートコントローラの平面図。
第４図は、リモートコントローラの一部切欠平面図。
第５図は、同リモートコントローラの断面底面図。
第６図は、同リモートコントローラの断面左側面図。
第７図は、リモートコントローラの分解説明図。
第８図は、ブロー状態表示部の平面図。
第９図は、ピン接続図。
第１０図は、マイルドブローの動態表示説明図。
第１１図は、スポットブローの動態表示説明図。
第１２図は、パルスブローの動態表示説明図。
第１３図は、ウェーブブローの動態表示説明図。
第１４図は、サイクルブローの動態表示説明図。
第１５図は、ランダムブローの動態表示説明図。
（Ａ）：気泡発生浴槽
（Ｐ）：循環ポンプ
（Ｃ）：制御部
（１）：浴槽本体
（２）：足側用の噴出ノズル
（３）：背側用の噴出ノズル
（４）：胸側用の噴出ノズル
（６）：操作パネル部
（１０）：浴湯吸込パイプ
（１１）：浴湯強送パイプ
（５９）：ブロー状態表示部
（３０）：リモートコントローラ